(57)【要約】【課題】送水路から噴出される送水量や水流の状態が高周波電極の突没状態に左右されず、しかも高周波電極をシースの軸線位置で突没させることができる使い易い内視鏡用高周波処置具を提供すること。【解決手段】シース１内に、高周波電極４に連結された操作ワイヤ５が軸線方向に進退自在に挿通されるワイヤ挿通孔２と送水路３とを互いに独立して各々シース１の軸線１ｘ位置から偏心した位置に並列に形成すると共に、高周波電極４を、シース１の軸線１ｘ位置においてシース１の先端から突没するように操作ワイヤ５に対して偏心させて連結した。【選択図】      図１
2006187474.tif 000002
【特許請求の範囲】
【請求項１】
内視鏡の処置具挿通チャンネルに挿脱される電気絶縁性のシース内に、上記シースの手元側からの操作によって上記シースの先端から前方に突没する針状の高周波電極と、上記シースの先端から噴出させる水を通過させるための送水路とが設けられた内視鏡用高周波処置具において、
上記シース内に、上記高周波電極に連結された操作ワイヤが軸線方向に進退自在に挿通されるワイヤ挿通孔と上記送水路とを互いに独立して各々上記シースの軸線位置から偏心した位置に並列に形成すると共に、
上記高周波電極を、上記シースの軸線位置において上記シースの先端から突没するように上記操作ワイヤに対して偏心させて連結したことを特徴とする内視鏡用高周波処置具。
【請求項２】
上記高周波電極と上記操作ワイヤとが、他の連結部材を用いることなく互いの側面どうしを直接固着して連結されている請求項１記載の内視鏡用高周波処置具。
【請求項３】
上記高周波電極が上記ワイヤ挿通孔の先端部分で振らつくのを規制するための電極振らつき規制部材が上記シースの先端部分に設けられている請求項１又は２記載の内視鏡用高周波処置具。
【請求項４】
上記電極振らつき規制部材に、上記高周波電極は通過するが上記操作ワイヤは通過しない電極ガイド孔が形成されていて、その電極ガイド孔が上記シースの軸線位置に配置される状態に上記電極振らつき規制部材が上記シースの最先端部分に固着されている請求項３記載の内視鏡用高周波処置具。
【発明の詳細な説明】
【技術分野】
【０００１】
この発明は、内視鏡の処置具挿通チャンネルに挿脱されるシースの先端から前方に突没する針状高周波電極が設けられた内視鏡用高周波処置具に関する。
【背景技術】
【０００２】
体内の粘膜組織等を切開／凝固する処置を行う内視鏡用高周波処置具は、処置対象となる粘膜表面を切開前に洗浄し、切開中には焼け焦げて電極やその周辺に付着した粘膜組織の焼灼片等を洗い流せるように構成するのが望ましい。
【０００３】
そこで、内視鏡用高周波処置具には、内視鏡の処置具挿通チャンネルに挿脱される電気絶縁性のシース内に、シースの手元側からの操作によってシースの先端から前方に突没する高周波電極を設けると共に、高周波電極（及び、高周波電極に連結された操作ワイヤ）の周囲を囲む空間を、シースの先端から噴出させる水を通過させるための送水路として用いるようにしたものがある（例えば、特許文献１）。
【特許文献１】特開平６−２９２６８５
【発明の開示】
【発明が解決しようとする課題】
【０００４】
しかし、高周波電極の周囲を囲む空間を送水路として用いると、高周波電極がシースの先端から突出した状態の時とシース内に引っ込んだ状態の時とで送水量や水流の状態が大きく相違するため、非常に使い難い場合がある。
【０００５】
そこで、シース内に、高周波電極に連結された操作ワイヤが挿通されるワイヤ挿通孔と送水路とを互いに独立して並列に設けることが考えられるが、高周波電極をシースの軸線位置に配置すると送水路の断面積が小さくなってしまい、かといって高周波電極がシースの軸線位置にないと、切開操作の際に針状高周波電極の位置がつかめず非常に使い難いものになってしまう場合がある。
【０００６】
そこで本発明は、送水路から噴出される送水量や水流の状態が高周波電極の突没状態に左右されず、しかも高周波電極をシースの軸線位置で突没させることができる使い易い内視鏡用高周波処置具を提供することを目的とする。
【課題を解決するための手段】
【０００７】
上記の目的を達成するため、本発明の内視鏡用高周波処置具は、内視鏡の処置具挿通チャンネルに挿脱される電気絶縁性のシース内に、シースの手元側からの操作によってシースの先端から前方に突没する針状の高周波電極と、シースの先端から噴出させる水を通過させるための送水路とが設けられた内視鏡用高周波処置具において、シース内に、高周波電極に連結された操作ワイヤが軸線方向に進退自在に挿通されるワイヤ挿通孔と送水路とを互いに独立して各々シースの軸線位置から偏心した位置に並列に形成すると共に、高周波電極を、シースの軸線位置においてシースの先端から突没するように操作ワイヤに対して偏心させて連結したものである。
【０００８】
なお、高周波電極と操作ワイヤとが、他の連結部材を用いることなく互いの側面どうしを直接固着して連結されていてもよく、高周波電極がワイヤ挿通孔の先端部分で振らつくのを規制するための電極振らつき規制部材がシースの先端部分に設けられているとよい。
【０００９】
そして、電極振らつき規制部材に、高周波電極は通過するが操作ワイヤは通過しない電極ガイド孔が形成されていて、その電極ガイド孔がシースの軸線位置に配置される状態に電極振らつき規制部材がシースの最先端部分に固着されていてもよい。
【発明の効果】
【００１０】
本発明によれば、シース内に、高周波電極に連結された操作ワイヤが軸線方向に進退自在に挿通されるワイヤ挿通孔と送水路とを互いに独立して各々シースの軸線位置から偏心した位置に並列に形成したことにより、送水路から噴出される送水量や水流の状態が高周波電極の突没状態に左右されず、さらに、高周波電極を、シースの軸線位置においてシースの先端から突没するように操作ワイヤに対して偏心させて連結したことにより、シースの軸線位置で高周波電極を突没させることができるので非常に使い易く、電極振らつき規制部材をシースの先端部分に設けることにより高周波電極が振らつかなくなるので、より安全に使用することができる。
【発明を実施するための最良の形態】
【００１１】
内視鏡の処置具挿通チャンネルに挿脱される電気絶縁性のシース内に、シースの手元側からの操作によってシースの先端から前方に突没する針状の高周波電極と、シースの先端から噴出させる水を通過させるための送水路とが設けられた内視鏡用高周波処置具において、シース内に、高周波電極に連結された操作ワイヤが軸線方向に進退自在に挿通されるワイヤ挿通孔と送水路とを互いに独立して各々シースの軸線位置から偏心した位置に並列に形成すると共に、高周波電極を、シースの軸線位置においてシースの先端から突没するように操作ワイヤに対して偏心させて連結する。
【実施例】
【００１２】
図面を参照して本発明の実施例を説明する。
図２と図３は、本発明の第１の実施例の内視鏡用高周波処置具の全体構成を示す平面図と側面断面図であり、例えば四フッ化エチレン樹脂等のような電気絶縁性の合成樹脂製の可撓性チューブからなるシース１は、図示されていない内視鏡の処置具挿通チャンネルに挿脱自在なように、直径が２ｍｍ程度で長さが１〜２ｍ程度に形成されている。
【００１３】
シース１は、図４に断面が示されるように、ワイヤ挿通孔２と送水路３の二つの貫通孔が軸線方向に並列に形成されたいわゆるマルチルーメンチューブであり、ワイヤ挿通孔２と送水路３の軸線位置はいずれもシース１の軸線１ｘの位置に対して偏心している。ただし、シース１の軸線１ｘはワイヤ挿通孔２内に含まれる位置にある。
【００１４】
図２及び図３に戻って、シース１の先端には、針状の高周波電極４が突没自在に配置されており、その高周波電極４を突没操作するための操作部１０がシース１の基端側（即ち、手元側）に連結されている。
【００１５】
シース１のワイヤ挿通孔２内には例えばステンレス鋼撚り線等からなる導電性の操作ワイヤ５が軸線方向に進退自在に全長にわたって挿通配置されていて、その先端に高周波電極４が連結されている。
【００１６】
操作ワイヤ５の基端は、操作部１０の操作部本体１１に対してスライド操作自在に設けられたスライド操作部材１２に連結されており、スライド操作部材１２を操作することにより操作ワイヤ５を介して高周波電極４をシース１の先端から突没させることができる。また、スライド操作部材１２に配置された接続端子１３に図示されていない高周波電源コードを接続することにより、操作ワイヤ５を介して高周波電極４に高周波電流を通電することができる。
【００１７】
シース１の送水路３の基端側は、操作部１０に配置された注水口金１４に接続チューブ１５を介して連通接続されており、図示されていない注水具等を注水口金１４に接続することにより、シース１の最先端面に位置する送水路３先端の水噴出口３ａから前方に水等を噴出させることができる。
【００１８】
図１はシース１の先端付近を示しており、図５はそのＶ−Ｖ断面図、図６はVI−VI断面図である。高周波電極４は、例えばステンレス鋼棒材等のような導電性の真っ直ぐな金属棒により形成されており、この実施例の高周波電極４は先端が尖っていないが、先端が尖ったものであってもよく、パイプ状のもの等であってもよい。
【００１９】
そのような高周波電極４は、図７に示されるように、操作ワイヤ５の先端部分に他の連結部材を用いることなく互いの側面どうし（即ち、操作ワイヤ５の最先端部分の側面と高周波電極４の後寄りの部分の側面）を例えば銀ロー付け７等により平行の向きに直接固着して連結されている。したがって、図５に示されるように、連結部をシース１のワイヤ挿通孔２内に効率よく収容することができる。
【００２０】
そのような高周波電極４を、操作ワイヤ５の進退動作によって単純にシース１の先端から突没させると、高周波電極４の位置が振らついてしまって非常に使い難いものになってしまう場合がある。そこで、高周波電極４の振らつきを規制するための電極振らつき規制部材６がワイヤ挿通孔２の最先端部分内に固着されている。
【００２１】
電極振らつき規制部材６は単体の斜視図である図８にも示されるように、ワイヤ挿通孔２内にピッタリと嵌め込まれる大きさの円柱状に形成されている。そして、高周波電極４が進退自在に通されて操作ワイヤ５は通ることができない径の電極ガイド孔６ａが縁部付近に軸線と平行方向に形成されていて、電極ガイド孔６ａに嵌挿された高周波電極４を、振らつかない状態で軸線方向にのみスムーズに進退させることができる。
【００２２】
この電極ガイド孔６ａは、図６に示されるように、電極振らつき規制部材６がワイヤ挿通孔２の最先端部分内に嵌め込まれた状態のときにシース１と軸線が合致する位置に形成されており、その結果、電極ガイド孔６ａ内に位置する高周波電極４の軸線４ｘの位置がシース１の軸線１ｘの位置と一致している。
【００２３】
したがって、操作部１０において操作ワイヤ５を進退操作すると、先端部分の外観図である図９に示されるように、高周波電極４がシース１の先端の軸線１ｘ位置から前方に振らつくことなく突没し、高周波電極４の最大突出長は、図１に示されるように、操作ワイヤ５の先端が電極振らつき規制部材６の後端面に当接することにより規制される。そして、シース１の先端面の水噴出口３ａからは高周波電極４の突没状態に左右されることなく水等を噴出させることができる。
【００２４】
図１０〜図１４は本発明の第２の実施例の内視鏡用高周波処置具を示しており、この実施例においては図１０に示されるように、シース１の軸線１ｘがワイヤ挿通孔２から完全に外れた位置にある。
【００２５】
図１１に示されるように、シース１の断面形状は先端付近を除いてワイヤ挿通孔２と送水路３とが完全に独立しているが、先端付近では、図１１におけるXII−XII断面を図示する図１２にも示されるようにワイヤ挿通孔２と送水路３とが一つの長孔部９に集合されて、高周波電極４と操作ワイヤ５との連結部がその長孔部９内に配置されている。
【００２６】
そして電極振らつき規制部材６は、単体の斜視図である図１３に示されるように、長孔部９の３分の２程度の範囲を塞ぐ形状に形成されて、電極振らつき規制部材６が長孔部９に嵌め込まれた状態のときにシース１の軸線１ｘと軸線位置が合致する状態に電極ガイド孔６ａが電極振らつき規制部材６に貫通形成されている。
【００２７】
したがって、操作部１０において操作ワイヤ５を進退操作することにより、先端部分の外観図である図１４に示されるように、高周波電極４がシース１の先端の軸線１ｘ位置から前方に振らつくことなく突没し、高周波電極４の最大突出長は、図１１に示されるように、操作ワイヤ５の先端が電極振らつき規制部材６の後端面に当接することにより規制される。
【００２８】
そして、シース１の先端面の水噴出口３ａ（長孔部９が電極振らつき規制部材６で塞がれていない部分）からは、高周波電極４の突没状態に左右されることなく水等を噴出させることができる。
【図面の簡単な説明】
【００２９】
【図１】本発明の第１の実施例の内視鏡用高周波処置具の先端付近の側面断面図である。
【図２】本発明の第１の実施例の内視鏡用高周波処置具の全体構成を示す平面図である。
【図３】本発明の第１の実施例の内視鏡用高周波処置具の全体構成を示す側面断面図である。
【図４】本発明の第１の実施例の内視鏡用高周波処置具のシースを構成するマルチルーメンチューブの軸線に垂直な断面における断面図である。
【図５】本発明の第１の実施例の内視鏡用高周波処置具の図１におけるＶ−Ｖ断面図である。
【図６】本発明の第１の実施例の内視鏡用高周波処置具の図１におけるVI−VI断面図である。
【図７】本発明の第１の実施例の内視鏡用高周波処置具の操作ワイヤと高周波電極との連結部の斜視図である。
【図８】本発明の第１の実施例の内視鏡用高周波処置具の電極振らつき規制部材の単体の斜視図である。
【図９】本発明の第１の実施例の内視鏡用高周波処置具の先端付近の外観斜視図である。
【図１０】本発明の第２の実施例の内視鏡用高周波処置具のシースを構成するマルチルーメンチューブの軸線に垂直な断面における断面図である。
【図１１】本発明の第２の実施例の内視鏡用高周波処置具の先端付近の側面断面図である。
【図１２】本発明の第２の実施例の内視鏡用高周波処置具の図１１におけるXII−XII断面図である。
【図１３】本発明の第２の実施例の内視鏡用高周波処置具の電極振らつき規制部材の単体の斜視図である。
【図１４】本発明の第２の実施例の内視鏡用高周波処置具の先端付近の外観斜視図である。
【符号の説明】
【００３０】
１  シース
１ｘ  軸線
２  ワイヤ挿通孔
３  送水路
３ａ  水噴出口
４  高周波電極
４ｘ  軸線
５  操作ワイヤ
６  電極振らつき規制部材
６ａ  電極ガイド孔
７  銀ロー付け
９  長孔部
１０  操作部
【図１】
2006187474.tif 000003
【図２】
2006187474.tif 000004
【図３】
2006187474.tif 000005
【図４】
2006187474.tif 000006
【図５】
2006187474.tif 000007
【図６】
2006187474.tif 000008
【図７】
2006187474.tif 000009
【図８】
2006187474.tif 000010
【図９】
2006187474.tif 000011
【図１０】
2006187474.tif 000012
【図１１】
2006187474.tif 000013
【図１２】
2006187474.tif 000014
【図１３】
2006187474.tif 000015
【図１４】
2006187474.tif 000016